(57)【要約】【課題】車両に関し複数の操作部位を操作対象として予め定めた運転操作を必要とする状況において、正しい運転操作を短時間で運転者に伝える。【解決手段】任意の可視情報を表示可能な画面を有する表示部１５０と、車両において予め定めた特定の運転操作に適した状態を表示開始状態として検出する状態検出部１１０と、前記状態検出部が前記表示開始状態を検出した時に、予め前記特定の運転操作と関連付けられた複数の操作対象部位のそれぞれと対応する複数の表示要素を、同時にもしくは異なるタイミングで前記表示部の画面上に表示すると共に、複数種類の表示状態を予め定めた順序に従って自動的に切り替えて操作手順を案内する表示制御部１６０とを備える。エンジン始動の操作を案内する。矢印形状のパターンで操作の方向と順序を表示する。アニメーションにより操作の内容を表示する。【選択図】図２
2013249042.tif 000002
【特許請求の範囲】
【請求項１】
車両に搭載され、前記車両の運転操作に関連する情報を運転者が視認可能な可視情報として表示する車両用表示装置であって、
任意の可視情報を表示可能な画面を有する表示部と、
前記車両において予め定めた特定の運転操作に適した状態を、表示開始状態として検出する状態検出部と、
前記状態検出部が前記表示開始状態を検出した時に、予め前記特定の運転操作と関連付けられた複数の操作対象部位のそれぞれと対応する複数の表示要素を、同時にもしくは異なるタイミングで前記表示部の画面上に表示すると共に、複数種類の表示状態を予め定めた順序に従って自動的に切り替えて操作手順を案内する表示制御部と
を備えることを特徴とする車両用表示装置。
【請求項２】
前記状態検出部は、前記車両の推進力を発生する駆動源を始動するための運転操作に適した状態を、表示開始状態として検出し、
前記表示制御部は、前記複数の表示要素として、少なくともブレーキ操作を表す第１の表示要素と、前記駆動源の始動操作を表す第２の表示要素とを表示する
ことを特徴とする請求項１に記載の車両用表示装置。
【請求項３】
前記表示制御部は、前記複数の表示要素の中の少なくとも１つについて、対応する操作対象部位の操作方向を表す矢印形状の表示パターンを、前記表示要素の近傍に更に表示する
ことを特徴とする請求項２に記載の車両用表示装置。
【請求項４】
前記表示制御部は、前記複数の表示要素の中の少なくとも１つを、時間経過に伴って変化するアニメーションとして表示する
ことを特徴とする請求項１から３のいずれか１項に記載の車両用表示装置。
【発明の詳細な説明】
【技術分野】
【０００１】
本発明は車両に搭載され、前記車両の運転操作に関連する情報を運転者が視認可能な可視情報として表示する車両用表示装置に関する。
【背景技術】
【０００２】
車両に関する表示装置の従来技術として、例えば特許文献１及び特許文献２が知られている。
【０００３】
特許文献１は、車両用タイヤチェーンの取扱説明に関する情報を画面に表示可能な情報表示装置を開示している。また、特許文献１に開示された技術においては、表示画面上に操作キー部を表示して、ユーザの入力操作を受け付け可能にしている。すなわち、操作キー部をユーザが操作することにより、画面に表示する内容を必要に応じてページ単位で順番に切り替えることができる。
【０００４】
特許文献２は、カーナビゲーション等の機能を有する車載装置において、表示内容を切り替えるための技術を開示している。具体的には、車両が走行中か否かに応じて走行モードと停車モードとを自動的に識別し、現在のモードに適した操作メニューを画面上に表示することを開示している。また、メニューを表示した後、どのスイッチが操作されたかに応じて、運転者及び同乗者の何れかに適した操作メニューの表示制御を行うことも開示している。
【先行技術文献】
【特許文献】
【０００５】
【特許文献１】特開平９−２３１２２号公報
【特許文献２】特開２００５−１５３６７１号公報
【発明の概要】
【発明が解決しようとする課題】
【０００６】
ところで、自動車業界においては、技術の進歩や市場のニーズの変化などがあるため、自動車の運転操作にも様々な変化が生じ始めている。
【０００７】
例えば、自動車の推進力を発生するエンジンを始動する際には、従来より運転者がキーシリンダにエンジンキーを差し込んで、エンジンキーを回転する操作を行っている。しかし、最近の自動車においては、ボタン操作によりエンジンを始動するように、運転操作が変更されている場合がある。また、エンジン始動時に急発進などの危険な状態が発生するのを避けるために、ブレーキペダルを踏み込んだ状態でない限りエンジンが始動しないように制御されている場合も多い。また、自動変速機を搭載した自動車の場合には、変速機のシフトレバーが特定のシフト位置にある場合にはエンジンが始動しないように制御されている可能性もある。
【０００８】
そのため、運転操作に慣れている熟練した運転者であったとしても、運転操作が従来とは異なる新しい自動車を運転する際には、運転操作がよく分からないという事態に遭遇することになる。
【０００９】
従って、車両に搭載された計器板等の表示装置において、運転者がどの操作部位を操作すればよいのかをランプの点灯等により表示することが考えられる。しかし、複数の操作部位をほぼ同時に、あるいは順番に操作しなければならないような状況においては、運転者は、操作が必要な部位を表示により特定できたとしても、正しい操作手順を把握することはできない。
【００１０】
そのため、新しい自動車、あるいは他人の所有する自動車を運転するような場合には、運転の前に、自動車の説明書を取り出して運転操作の説明を読まなければならない。従って、例えば特許文献１に開示された技術のように、説明書の内容を表示装置の画面上に表示することも考えられる。
【００１１】
しかしながら、特許文献１のような技術を採用した場合であっても、運転者がページめくり等の操作を繰り返し、現在必要とする運転操作に関連するページを説明書の中から探し出し、更にその説明内容を読まなければならない。そのため、正しい運転操作ができる状態になるまでに面倒な操作が必要になる。
【００１２】
本発明は、上述した事情に鑑みてなされたものであり、その目的は、車両に関し複数の操作部位を操作対象として予め定めた運転操作を必要とする状況において、正しい運転操作を短時間で運転者に伝えることが可能な車両用表示装置を提供することにある。
【課題を解決するための手段】
【００１３】
前述した目的を達成するために、本発明に係る車両用表示装置は、下記（１）〜（６）を特徴としている。
（１）  車両に搭載され、前記車両の運転操作に関連する情報を運転者が視認可能な可視情報として表示する車両用表示装置であって、
任意の可視情報を表示可能な画面を有する表示部と、
前記車両において予め定めた特定の運転操作に適した状態を、表示開始状態として検出する状態検出部と、
前記状態検出部が前記表示開始状態を検出した時に、予め前記特定の運転操作と関連付けられた複数の操作対象部位のそれぞれと対応する複数の表示要素を、同時にもしくは異なるタイミングで前記表示部の画面上に表示すると共に、複数種類の表示状態を予め定めた順序に従って自動的に切り替えて操作手順を案内する表示制御部と
を備えること。
（２）  上記（１）に記載の車両用表示装置であって、
前記状態検出部は、前記車両の推進力を発生する駆動源を始動するための運転操作に適した状態を、表示開始状態として検出し、
前記表示制御部は、前記複数の表示要素として、少なくともブレーキ操作を表す第１の表示要素と、前記駆動源の始動操作を表す第２の表示要素とを表示すること。
（３）  上記（２）に記載の車両用表示装置であって、
前記表示制御部は、前記複数の表示要素の中の少なくとも１つについて、対応する操作対象部位の操作方向を表す矢印形状の表示パターンを、前記表示要素の近傍に更に表示すること。
（４）  上記（１）〜（３）のいずれか１つに記載の車両用表示装置であって、
前記表示制御部は、前記複数の表示要素の中の少なくとも１つを、時間経過に伴って変化するアニメーションとして表示すること。
（５）  上記（１）に記載の車両用表示装置であって、
前記表示制御部は、前記特定の運転操作を表す表示を開始した後で、前記運転操作と一致する操作状態を検出した場合には、前記運転操作を表す表示を終了し、他の画面を表示すること。
（６）  上記（１）に記載の車両用表示装置であって、
前記状態検出部は、少なくとも前記車両の運転席に運転者が着座したか否かを表す状態を検出すること。
【００１４】
上記（１）の構成の車両用表示装置によれば、特定の運転操作、例えばエンジン始動のための操作が必要になった時に、操作手順の案内を自動的に表示することができる。また、複数の表示要素を画面上に表示するので、複雑な操作が必要な場合であっても操作対象部位の特定が容易になる。また、複数種類の表示状態を自動的に切り替えるので、正しい操作手順を運転者に伝えることが可能になる。
上記（２）の構成の車両用表示装置によれば、車両のエンジン等の駆動源を始動するための運転操作を運転者が行おうとしている状況において、運転者がボタン操作等の特別な操作をしなくても、前記駆動源の始動のための正しい操作手順を運転者に伝えることが可能になる。
上記（３）の構成の車両用表示装置によれば、矢印形状の表示パターンを表示するので、対応する操作対象部位の正しい操作方向を視覚情報として運転者に知らせることができる。すなわち、例えばブレーキペダルを踏み込む操作や、ボタンを押す操作などを正しく運転者に伝えることができる。
上記（４）の構成の車両用表示装置によれば、運転操作の開始後の時間経過に伴う操作対象部位の状況の変化を表現することができる。従って、例えばブレーキペダルを踏み込む正しい運転操作などの状況を、運転者は視覚情報として短時間で把握することが可能になる。
上記（５）の構成の車両用表示装置によれば、表示した運転操作を運転者が認識したとみなされる状況においては、表示を切り替えるための特別な入力操作を運転者が行わなくても、表示画面を自動的に切り替えることができる。
上記（６）の構成の車両用表示装置によれば、運転者が運転席に着座していない場合のように、運転操作を行う可能性が低い時に、無駄な表示が行われるのを抑制することができる。これにより、無駄な電力消費を抑制できる。
【発明の効果】
【００１５】
本発明の車両用表示装置によれば、車両に関し複数の操作部位を操作対象として予め定めた運転操作を必要とする状況において、正しい運転操作を短時間で運転者に伝えることが可能になる。従って、運転者が新しい仕様の自動車を運転しようとする場合や、他人の所有する自動車を運転するような場合であっても、自動車の説明書を開くことなく短時間で正しい運転操作を把握可能になる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１は、車両用計器板ユニットの外観を示す正面図である。
【図２】図２は、図１に示した車両用計器板ユニットの電気回路の構成例を示すブロック図である。
【図３】図３は、エンジン始動の運転操作に関する案内画面を表示する時の画面表示の状態遷移を示す正面図である。
【図４】図４は、エンジン始動の運転操作に関する案内画面を表示するための制御の内容を示すフローチャートである。
【発明を実施するための形態】
【００１８】
本発明の車両用表示装置に関する具体的な実施の形態について、各図を参照しながら以下に説明する。
【００１９】
＜外観の具体例＞
車両用計器板ユニット１００の外観を図１に示す。本実施形態においては、本発明の車両用表示装置を図１に示した車両用計器板ユニット１００の中に組み込む場合を想定している。勿論、本発明の車両用表示装置は車両用計器板ユニット１００とは別の独立した車載器として構成することもできる。
【００２０】
図１に示した車両用計器板ユニット１００においては、中央部に、様々な情報を運転者に見える可視情報として表示可能なマルチ表示画面１０を備えている。また、マルチ表示画面１０の左側には速度計２０が配置してあり、マルチ表示画面１０の右側には回転計３０が配置してある。
【００２１】
速度計２０は、車両の現在の走行速度（車速：ｋｍ／ｈ）を目盛りを指し示す指針の向きにより表示する。回転計３０は、エンジンの回転速度（×１０００ｒｐｍ）を目盛りを指し示す指針の向きにより表示する。
【００２２】
また、マルチ表示画面１０の上方には、車両の方向指示器の動作状態と連動して点滅するターンＬランプ４１及びターンＲランプ４２が備わっている。また、マルチ表示画面１０の右下の位置に、トリップノブ４３が配置してある。
【００２３】
マルチ表示画面１０に表示する情報の内容については、必要に応じて変更することができるが、この画面の中に常時表示する情報として、変速機シフト位置表示部１５、オドメータ表示部１６、及びトリップメータ表示部１７が設けてある。
【００２４】
変速機シフト位置表示部１５は、車両の変速機の操作に関する現在のシフト位置を表示する。すなわち、「パーキング位置：Ｐ」、「ドライブ位置：Ｄ」、「ニュートラル位置：Ｎ」などを表示することができる。
【００２５】
オドメータ表示部１６は、車両の現在までの積算走行距離を１ｋｍ単位の数値で表示する。トリップメータ表示部１７は、ある時点からの車両の走行距離を０．１ｋｍ単位の数値で表示する。トリップノブ４３を操作することにより、トリップメータ表示部１７の数値を０に初期化することができる。
【００２６】
図１に示したマルチ表示画面１０においては、上記以外の表示要素として、第１操作部位表示部１１、第２操作部位表示部１２、複合操作表示部１３、及びブレーキ操作方向表示部１４が表示されている。これらの表示要素については後で詳細に説明する。
【００２７】
＜電気回路の構成例＞
図１に示した車両用計器板ユニット１００の電気回路の構成例を図２に示す。
図１に示すように、車両用計器板ユニット１００はマイクロコンピュータ１１０、モータドライバ１２０、速度計駆動機構１３０、回転計駆動機構１４０、液晶表示器１５０、表示用コントローラ１６０、メモリ１７０、１８０、電源回路１９０、インタフェース１９１及び１９２を備えている。
【００２８】
マイクロコンピュータ１１０（ＣＰＵ）は、読み出し専用メモリ（ＲＯＭ）１１１、揮発性メモリ（ＲＡＭ）１１２、及びＣＡＮ通信制御部１１３を内蔵している。マイクロコンピュータ１１０は、読み出し専用メモリ１１１に予め保持されているプログラムを実行して装置全体を制御することにより、車両用計器板ユニット１００に必要とされる様々な機能を実現する。具体的な動作については後で説明する。
【００２９】
速度計駆動機構１３０は、モータドライバ１２０を介してマイクロコンピュータ１１０と接続されている。速度計駆動機構１３０は、図示しない電気モータを駆動し、図１に示した速度計２０の指針を駆動する。
【００３０】
回転計駆動機構１４０は、モータドライバ１２０を介してマイクロコンピュータ１１０と接続されている。回転計駆動機構１４０は、図示しない電気モータを駆動し、図１に示した回転計３０の指針を駆動する。
【００３１】
液晶表示器１５０は、図１に示したマルチ表示画面１０に相当する平面状の画面を有しており、この画面は個別に制御可能な多数の画素で構成されている。各画素の表示内容を制御することにより、画面上の各々の領域に、文字、数字、図形、画像などの可視情報を表示することができる。
【００３２】
液晶表示器１５０は、表示用コントローラ１６０を介してマイクロコンピュータ１１０と接続されている。表示用コントローラ１６０は、マイクロコンピュータ１１０から出力される所定の表示制御用コマンドに従い、液晶表示器１５０の表示画面に対して指定されたグラフィック情報を描画する。
【００３３】
メモリ１７０は、フラッシュメモリ（ＦＬＡＳＨ  ＲＯＭ）により構成してある。メモリ１７０は、液晶表示器１５０の画面に表示可能な様々な情報を保持している。具体的には、マルチ表示画面１０の背景を描画するために必要なビットマップの画像データや、様々な表示要素（図１中の１１〜１７など）の各々を表すビットマップの画像データがメモリ１７０に保持されている。
【００３４】
また、本実施形態においては、例えば図３に示すように予め定めた順番に従って表示内容を変化させるために必要な特別なデータもメモリ１７０上に保持されている。この特別なデータについては、表示要素（図１中の１１〜１７など）単位の画像データと、複数の表示要素を用いて表示内容（表示位置、表示形態、表示のオンオフ等）を事前に定めた順番に従って時系列で変化させるための制御用データとで構成することができる。あるいは、複数の表示要素で構成されるある領域全体の画像に関する動画を表示するために、予め用意した複数画像フレームのデータをメモリ１７０上に保持しても良い。
【００３５】
メモリ１８０は、不揮発性メモリ（ＥＥＰＲＯＭ）により構成してある。メモリ１８０は、様々な定数データを予め保持している。マイクロコンピュータ１１０は、メモリ１８０にアクセスし、メモリ１８０上の定数データを必要に応じて参照することができる。
【００３６】
電源回路１９０は、マイクロコンピュータ１１０の動作に必要な安定した直流電源電圧Ｖｃｃ（例えば＋５Ｖ）やリセット信号などを生成する。電源回路１９０の入力には、車両に搭載された車載電源装置２００から所定の直流電源電圧（＋Ｂ：例えば＋１２Ｖ）が供給される。
【００３７】
インタフェース（Ｉ／Ｆ）１９１の入力には、イグニッション信号（＋ＩＧＮ）が印加される。このイグニッション信号は、車両のエンジンを制御するエンジン制御装置３００から出力される。一般的な車両の場合と同様に、イグニッション信号は、エンジンが始動しているか否かを信号のオンオフで表す二値信号である。
【００３８】
本実施形態においては、予め定めた条件下でエンジン始動ボタン（図示せず）が運転者によって操作された時に、エンジン制御装置３００はエンジンを始動する。従って、エンジン制御装置３００はエンジンの状態を常に把握しており、イグニッション信号も生成できる。
【００３９】
イグニッション信号（＋ＩＧＮ）は、インタフェース１９１を介してマイクロコンピュータ１１０の入力ポートに印加される。
【００４０】
インタフェース１９２は、車両側のＣＡＮ（Controller Area Network）規格の通信ネットワークと接続されている。この通信ネットワークには、例えば図２に示すシート制御装置４００が接続されている。シート制御装置４００は、車両に搭載されている運転席やその他の乗員用座席の各々の状態を検出したり姿勢を調整するための制御を行う。
【００４１】
図２に示す例では、シートスイッチＳＳがシート制御装置４００に接続されている。このシートスイッチＳＳは、運転席のシートベース上に運転者が着座したか否かを検出することができる。シート制御装置４００は、シートスイッチＳＳの状態を常時監視している。シートスイッチＳＳの状態に変化が発生した場合には、シート制御装置４００はシートスイッチＳＳの状態を表す情報、ＣＡＮの通信ネットワークを経由して車両用計器板ユニット１００に与える。
【００４２】
従って、車両用計器板ユニット１００のマイクロコンピュータ１１０は、現在のシートスイッチＳＳの状態を表す情報、すなわち運転者が着座しているか否かを表す情報を、インタフェース１９２を介して入力することができる。
【００４３】
＜車両のエンジンの始動＞
＜エンジン始動の条件＞
本実施形態においては、エンジン制御装置３００は次の条件を満たしている時にエンジンを始動する。
【００４４】
（Ａ１）ブレーキペダルが踏み込まれている状態である。かつ、
（Ａ２）「エンジン始動ボタン」が押された。
従って、車両を運転する運転者は、エンジンを始動する際には、上記２つの条件を同時に満たすように運転操作を行う必要がある。
【００４５】
＜エンジン始動の案内表示＞
エンジンを始動する際に、運転者が上記の運転操作の条件を知らない場合には、正しい運転操作を行うことができず操作にとまどうことになる。従って、図１及び図２に示した車両用計器板ユニット１００は、エンジンを始動する際に、運転者に対して正しい運転操作について案内表示を行うための特別な表示機能を有している。
【００４６】
すなわち、車両用計器板ユニット１００は、エンジンを始動する可能性が高い状況において、マルチ表示画面１０上に、正しい運転操作を表す案内を自動的に表示する。
【００４７】
＜案内表示の具体例＞
エンジン始動の運転操作に関する案内画面を表示する時の画面表示の状態遷移の具体例が図３に示されている。なお、図３に示す各画面表示状態Ｃ１、Ｃ２、Ｃ３は、図１に示したマルチ表示画面１０の上側半分に相当する領域の表示状態を表している。
【００４８】
本実施形態においては、時間の経過に伴って図３に示す画面表示状態Ｃ１、Ｃ２、Ｃ３の順に表示内容が自動的に遷移する。
図３に示した画面表示状態Ｃ１において、マルチ表示画面１０上には第１操作部位表示部１１、第２操作部位表示部１２、及び複合操作表示部１３が表示されている。
【００４９】
第１操作部位表示部１１は、上記エンジン始動の条件（Ａ１）に対応する実際の操作部位であるブレーキペダルに相当する表示要素である。具体的には、ブレーキペダルの形状を表す図形パターンと、「ＢＲＡＫＥ」の文字列パターンとで第１操作部位表示部１１を構成してある。
【００５０】
第２操作部位表示部１２は、上記エンジン始動の条件（Ａ２）に対応する実際の操作部位である「エンジン始動ボタン」に相当する表示要素である。具体的には、実際の「エンジン始動ボタン」の外観形状を表す円形パターンと、その円形内に配置された「エンジンスタート／ストップ」の文字列パターンとで第２操作部位表示部１２を構成してある。
【００５１】
複合操作表示部１３は、「＋」の記号と同じ形状のパターンである。この複合操作表示部１３の表示内容は、第１操作部位表示部１１に相当する一方の操作部位の操作と、第２操作部位表示部１２に相当する他方の操作部位の操作とを同時に行う必要があることを意味している。
【００５２】
図３の画面表示状態Ｃ１の表示を開始してから所定時間（例えば１秒）が経過すると、画面表示状態Ｃ２の状態に自動的に遷移する。また、画面表示状態Ｃ２の表示を開始してから所定時間（例えば２秒）が経過すると画面表示状態Ｃ３の状態に自動的に遷移する。
【００５３】
画面表示状態Ｃ２においては、ブレーキ操作方向表示部１４が表示内容に追加されている。ブレーキ操作方向表示部１４は、第１操作部位表示部１１の右上方から左下方の第１操作部位表示部１１に向かう方向の矢印パターンとして構成してある。
【００５４】
また、画面表示状態Ｃ２においては、ブレーキ操作方向表示部１４をこの矢印の方向、すなわち第１操作部位表示部１１の方向に向かって少しずつ移動するように、変化する画像、つまりアニメーションとして表示する。また、ブレーキ操作方向表示部１４の移動に伴って、第１操作部位表示部１１のブレーキペダルの図形パターンについても、踏み込む（押し下げる）状態を表すような変化を有するアニメーションとして表示する。
【００５５】
画面表示状態Ｃ３においては、始動ボタン操作方向表示部１８が表示内容に追加されている。始動ボタン操作方向表示部１８は、第１操作部位表示部１１の右上方から左下方の第２操作部位表示部１２に向かう方向の矢印パターンとして構成してある。
【００５６】
また、画面表示状態Ｃ３においては、始動ボタン操作方向表示部１８をこの矢印の方向、すなわち第２操作部位表示部１２の方向に向かって少しずつ移動するように、変化する画像、つまりアニメーションとして表示する。
【００５７】
図３に示したような表示内容の変化については、メモリ１７０に保持されている一連の表示用データを、予め定めた順序に従って表示用コントローラ１６０が順番に読み出して液晶表示器１５０内部の表示用フレームメモリに書き込むことにより実現することができる。
【００５８】
なお、本実施形態においては、第２操作部位表示部１２が単なる表示要素である場合を想定しているが、実際の操作部位である「エンジン始動ボタン」を第２操作部位表示部１２と共通にすることも可能である。例えば、マルチ表示画面１０の画面上に透明なタッチパネルを配置することが考えられる。その場合、第２操作部位表示部１２と対応するタッチパネル上の位置を運転者がタッチした操作を、「エンジン始動ボタン」の操作とみなすことができる。この操作を検出した時には、車両用計器板ユニット１００からエンジン制御装置３００に対してボタン操作の信号を送ることにより、エンジンを始動することが可能になる。
【００５９】
＜車両用計器板ユニット１００の動作＞
エンジン始動の運転操作に関する案内画面を表示するための制御の内容を図４に示す。図４に示す制御の内容は、マイクロコンピュータ１１０の処理によって実現する。この処理の内容について以下に説明する。
【００６０】
車両の車載電源装置２００から車両用計器板ユニット１００に電源が供給されてマイクロコンピュータ１１０が起動すると、マイクロコンピュータ１１０は所定の初期化を実施した後、図４のステップＳ１１から処理を開始する。
【００６１】
ステップＳ１１では、マイクロコンピュータ１１０は車両のエンジンが始動中か否かを識別する。具体的には、エンジン制御装置３００から出力されるイグニッション信号（ＩＧＮ＋）の状態を監視して、イグニッションのオンオフをマイクロコンピュータ１１０が把握する。イグニッションがオンであればステップＳ１６に進み、イグニッションがオフ（エンジン停止中）であればステップＳ１２に進む。
【００６２】
ステップＳ１２では、マイクロコンピュータ１１０は車両の運転席に運転者が着座した状態か否かを識別する。具体的には、マイクロコンピュータ１１０がシートスイッチＳＳの状態を示す情報をシート制御装置４００から受け取り、この情報に基づいて着座の有無を検出する。着座していない状態から着座状態に変化したことを検出すると、ステップＳ１２からＳ１３に進む。
【００６３】
ステップＳ１３では、マイクロコンピュータ１１０は、表示用コントローラ１６０に予め定めた表示制御コマンドを与え、液晶表示器１５０の画面であるマルチ表示画面１０上に、所定の初期画面を表示する。例えば、マルチ表示画面１０に背景を描画し、更に変速機シフト位置表示部１５、オドメータ表示部１６、トリップメータ表示部１７等の各表示要素を表示する。
【００６４】
ステップＳ１４では、マイクロコンピュータ１１０はこの車両のエンジン始動のための運転操作に関する案内画面をマルチ表示画面１０内に表示するためのデータを所定の場所にセットする。すなわち、図３に示す第１操作部位表示部１１、第２操作部位表示部１２、複合操作表示部１３、ブレーキ操作方向表示部１４、及び始動ボタン操作方向表示部１８の各表示要素を表示するために必要な画像データをメモリ１７０から読み出し、これらを表示対象として表示用コントローラ１６０上に保持する。
【００６５】
ステップＳ１５では、マイクロコンピュータ１１０はＳ１４で表示用コントローラ１６０上にセットした各表示要素の画像データを用いて、予め定めた「エンジン始動操作」の操作順序に従い、図３に示す各画面表示状態Ｃ１、Ｃ２、Ｃ３のように順番に表示内容を変更する。
【００６６】
従って、運転者は、「エンジン始動操作」の正しい操作手順をマルチ表示画面１０内の表示内容から瞬時に把握することができる。
表示された操作手順に従って、運転者が正しいエンジン始動操作をを行うと、この操作をエンジン制御装置３００が検出し、実際にエンジンを始動する。これにより、エンジン制御装置３００の出力するイグニッション信号（ＩＧＮ＋）がオフからオンに切り替わる。
【００６７】
イグニッション信号（ＩＧＮ＋）がオンに切り替わると、マイクロコンピュータ１１０の処理はステップＳ１１からＳ１６に進む。
【００６８】
ステップＳ１６では、マイクロコンピュータ１１０はマルチ表示画面１０上に通常時の画面を表示する。例えば、この状態では既にエンジンを始動しているので、「エンジン始動操作」に関する案内表示は不要である。従って、図３に示した第１操作部位表示部１１、第２操作部位表示部１２、複合操作表示部１３、ブレーキ操作方向表示部１４、始動ボタン操作方向表示部１８は全てマルチ表示画面１０から消去し、代わりに他の表示要素を必要に応じて表示する。
【００６９】
＜車両用計器板ユニット１００の利点＞
エンジン始動操作のように複数の操作部位を同時に操作しなければならず、しかも車種や仕様に応じて操作手順が異なるような場合であっても、正しい操作手順が自動的に表示されるので、運転者は運転操作にとまどうことなく運転を開始することができる。また、各操作部位をアニメーションとして表示したり、操作の方向を表示することにより、正しい運転操作を視覚的に瞬時に把握することが可能になる。
【００７０】
＜変形の可能性＞
図３に示した表示例においては、ブレーキ操作方向表示部１４及び始動ボタン操作方向表示部１８の表示／非表示により操作の順序を表現しているが、代わりに操作の順番を表す番号の表示要素を用いても良い。例えば、図３に示すブレーキ操作方向表示部１４の代わりに「１」の文字パターンを表示し、始動ボタン操作方向表示部１８の代わりに「２」の文字パターンを表示することが考えられる。また、操作の順序を理解しやすくするために、「１」の文字パターンを点滅表示した後で、「２」の文字パターンを点滅表示するように制御しても良い。
【００７１】
図１、図２に示した車両用計器板ユニット１００においては、エンジンを始動する場合の運転操作を想定しているが、電気モータの駆動力により推進力を発生する電気自動車の場合には、エンジンの代わりに電気モータを始動する場合の操作を表示することが考えられる。この場合にも、イグニッション信号と同等の信号を扱うので、運転操作の案内を表示すべき始動の条件を自動的に検出し、自動的に案内表示を開始することができる。
【符号の説明】
【００７２】
１０  マルチ表示画面
１１  第１操作部位表示部（第１の表示要素）
１２  第２操作部位表示部（第２の表示要素）
１３  複合操作表示部
１４  ブレーキ操作方向表示部（矢印形状の表示パターン）
１５  変速機シフト位置表示部
１６  オドメータ表示部
１７  トリップメータ表示部
１８  始動ボタン操作方向表示部（矢印形状の表示パターン）
２０  速度計
３０  回転計
４１  ターンＬランプ
４２  ターンＲランプ
４３  トリップノブ
１００  車両用計器板ユニット
１１０  マイクロコンピュータ（状態検出部）
１１１  読み出し専用メモリ
１１２  揮発性メモリ
１１３  ＣＡＮ通信制御部
１２０  モータドライバ
１３０  速度計駆動機構
１４０  回転計駆動機構
１５０  液晶表示器（表示部）
１６０  表示用コントローラ（表示制御部）
１７０，１８０  メモリ
１９０  電源回路
１９１，１９２  インタフェース
２００  車載電源装置
３００  エンジン制御装置
４００  シート制御装置
Ｃ１，Ｃ２，Ｃ３  画面表示状態
ＳＳ  シートスイッチ
【図１】
2013249042.tif 000003
【図２】
2013249042.tif 000004
【図３】
2013249042.tif 000005
【図４】
2013249042.tif 000006